(57)【特許請求の範囲】
【請求項１】
調理器の周囲に設置され、調理により発生する油煙を捕獲するレンジフードに備えられ、油煙に含まれる油脂分を回収するレンジフード用フィルタであって、
不燃性または準不燃性または難燃性の素材から作製されたシートと、
前記シートの少なくとも一方の表面に、無機性接着剤により接着された金属箔と、
を備え、
前記シートと前記金属箔とを貫通する複数の通気口を有するフィルタであって、
前記レンジフードにおける設置状態において、前記レンジフードが吸入する空気の流れの上流側の面に、前記金属箔を備え、
前記レンジフードが吸入する空気の流れの下流側の面に前記不燃層として不燃性塗料層を備えるフィルタ。
【請求項２】
前記シートは、含水ケイ酸マグネシウム化合物を主成分とする不燃性素材から作製されることを特徴する請求項１に記載のフィルタ。
【請求項３】
前記不燃性素材は不燃紙であることを特徴とする請求項２に記載のフィルタ。
【請求項４】
一の前記通気口は、前記シートの一方の表面側へ切り起こす切り起こしにより形成されることを特徴とする請求項１乃至３のいずれかに記載のフィルタ。
【請求項５】
前記切り起こしの切り起こし片の前記上流側の面は、前記レンジフードが吸入する空気の流れに対して対向するように成形されることを特徴とする請求項１に記載のフィルタ。
【請求項６】
請求項１乃５のいずれかに記載のフィルタを備えたレンジフード。
【発明の詳細な説明】
【技術分野】
【０００１】
本発明は、フィルタおよびそのフィルタを備えたレンジフードに関し、特に、使い捨て可能なフィルタおよびそのフィルタを備えたレンジフードに関する。
【背景技術】
【０００２】
従来から、調理器の周囲に設けられ、調理により発生する水蒸気や油煙を捕集するレンジフードのフィルタは、油脂分が付着するとともに、高温となりさらに火炎が触れることもあることから、不燃性の材質を有するものから作製されている。
【０００３】
また、特許文献１には、深型レンジフードの金属格子状フィルタの前面に配置されるフィルタ用カバー材において、一定の縦及び幅を有する硬質アルミ箔からなり、適宜模様のフィルタ露出用窓が形成された支持材と、この支持材に熱接着された不織布フィルタとを有する深型レンジフードフィルタ用カバー材が開示されている。この深型レンジフードフィルタは、金属格子状フィルタとその前面に配置されるカバー材からなり、いずれも不燃性の材料から作製される。
【先行技術文献】
【特許文献】
【０００４】
【特許文献１】実用新案登録第２５３４５６８号公報
【発明の概要】
【発明が解決しようとする課題】
【０００５】
しかし、特許文献１に係る金属格子状フィルタの前面に配置されるカバー材は、家庭ごみとして廃棄することができるが、長期間使用し油脂分の付着が進んだ状態で火炎が直接触れた場合には、これらフィルタ等の不燃性が高くても、付着した油脂分に炎が移り燃焼する可能性がある。
【０００６】
そこで、本発明は、上記問題に鑑みてなされたものであり、本発明の目的とするところは、不燃性を有するとともに家庭ごみとして容易に廃棄でき使い捨て可能であり、仮に、付着した油脂分に炎が移り燃焼した場合であっても、自己の形状を維持し調理器などの上に燃え落ちないレンジフード用フィルタを提供することである。
【課題を解決するための手段】
【０００７】
上記課題を解決するために、調理器の周囲に設置され、調理により発生する油煙を捕獲するレンジフードに備えられ、油煙に含まれる油脂分を回収するレンジフード用フィルタであって、不燃性または準不燃性または難燃性の素材から作製されたシートと、そのシートの少なくとも一方の表面に、無機性接着剤により接着された金属箔と、を備え、シートと金属箔とを貫通する複数の通気口を有するフィルタであって、レンジフードにおける設置状態において、レンジフードが吸入する空気の流れの上流側の面に、金属箔を備え、レンジフードが吸入する空気の流れの下流側の面に不燃層として不燃性塗料層を備えるフィルタが提供される。
これによれば、耐火性を有しかつ油脂分の捕集性能を維持するとともに、手で丸めて容易に使い捨て可能なので、使用者がレンジフード用フィルタを洗浄する手間から解放し、かつ、外部から力が加えられない限り自己の形状を維持することができ、シートに付着したり浸み込んだりした油脂分に炎が移り燃焼した場合であっても、シートと金属箔の接着力が低下することがなく、金属箔がシートから剥がれ落ちてしまうことを防止することができる共に、レンジフードにおける設置状態における、吸入する空気の流れの上流側の面に金属箔を備えることにより、たとえフィルタに火炎が接触するようなことがあっても問題のない耐火性を有することができ、さらに、レンジフードにおける設置状態における、吸入する空気の流れの下流側の面に金属箔として不燃塗料層を備えることにより、フィルタの裏面からの油脂分や水分の浸み込み防止し、耐火性を向上させることができるフィルタを提供できる。
【０００８】
さらに、シートは、含水ケイ酸マグネシウム化合物を主成分とする不燃性素材から作製されることを特徴としてもよい。
これによれば、シートに付着したり浸み込んだりした油脂分に炎が移り燃焼した場合であっても、シートの形状を維持することができる。
【０００９】
さらに、不燃性素材は不燃紙であることを特徴としてもよい。
これによれば、より容易に使い捨て可能となり、自重が減少し自己の形状の維持がより容易となり、さらに、耐火性もより向上させることができる。
【００１０】
さらに、一の通気口は、シートの一方の表面側へ切り起こす切り起こしにより形成されることを特徴としてもよい。
これによれば、上流側の面に切り起こしを設けることにより、捕集性能を向上させることができる。
【００１３】
さらに、切り起こしの切り起こし片の上流側の面は、レンジフードが吸入する空気の流れに対して対向するように成形されることを特徴としてもよい。
これによれば、たとえフィルタに火炎が接触するようなことがあっても、金属箔にのみ火炎が当たり、フィルタの裏面側に火炎が当たることを防止することにより、耐火性を向上させることができる。
【００１４】
また、上記課題を解決するために、上記のフィルタを備えたレンジフードが提供される。
これによれば、耐火性を有しかつ油脂分の捕集性能を維持するとともに、手で丸めて容易に使い捨て可能なので、使用者がレンジフード用フィルタを洗浄する手間から解放し、かつ、外部から力が加えられない限り自己の形状を維持することができ、シートに付着したり浸み込んだりした油脂分に炎が移り燃焼した場合であっても、シートと金属箔の接着力が低下することがなく、金属箔がシートから剥がれ落ちてしまうことを防止することができるフィルタを備えたレンジフードを提供することができる。
【発明の効果】
【００１５】
以上説明したように、本発明によれば、耐火性を有しかつ油脂分の捕集性能を維持するとともに、手で丸めて容易に使い捨て可能なので、使用者がレンジフード用フィルタを洗浄する手間から解放し、かつ、外部から力が加えられない限り自己の形状を維持することができ、シートに付着したり浸み込んだりした油脂分に炎が移り燃焼した場合であっても、シートと金属箔の接着力が低下することがなく、金属箔がシートから剥がれ落ちてしまうことを防止することができるフィルタおよびかかるフィルタを備えるレンジフードを提供することができる。
【図面の簡単な説明】
【００１６】
【図１Ａ】本発明に係る第一実施例におけるフィルタの、（Ａ）正面図、（Ｂ）底面図、（Ｃ）Ｃ−Ｃ断面の断面図。
【図１Ｂ】本発明に係る第一実施例におけるフィルタの背面図。
【図１Ｃ】本発明に係る第一実施例におけるフィルタの、（Ａ）Ｐ部分における切り起こし通気口の拡大図、（Ｂ）切り起こし通気口の斜視図（背面側から見た状態）、（Ｃ）Ｑ部分における切り起こし通気口の拡大断面図、（Ｄ）変形例における切り起こし通気口の拡大断面図。
【図２】本発明に係る第一実施例におけるフィルタを備えた、（Ａ）深型レンジフードの前後方向（調理者側と壁側の方向）の断面図、（Ｂ）深型レンジフードに取り付けられたフィルタのＲ部分における切り起こし通気口の拡大断面図、（Ｃ）薄型レンジフードの前後方向（調理者側と壁側の方向）の断面図、（Ｄ）薄型レンジフードに取り付けられたフィルタのＳ部分における切り起こし通気口の拡大断面図。
【発明を実施するための形態】
【００１７】
以下では、図面を参照しながら、本発明に係る各実施例について説明する。
＜第一実施例＞
図１Ａ〜１Ｃは、本発明に係る第一実施例におけるフィルタ１０の正面図等である。フィルタ１０は、調理器の上方などの周囲に設置され、調理により発生する油煙を捕獲するレンジフードに備えられ、油煙に含まれる油脂分を回収するレンジフード用のフィルタである。
【００１８】
フィルタ１０は、不燃性のシート１２即ち本実施例では不燃紙１２と、不燃紙１２の正面側の表面に金属箔１３および背面側の表面に不燃性塗料層１４の不燃層を備える、薄く軽量で可撓性を有するシート状物である。これにより、人の手により容易に丸めて廃棄等が可能である。
【００１９】
また、フィルタ１０は、不燃紙１２と、金属箔１３および不燃性塗料層１４の不燃層とを貫通する多数の通気口１１を有する。すなわち、金属箔１３の通気口としての開口部と不燃紙１２の通気口としての開口部とが、ほぼ一致して形成されており、例えば、不燃紙１２の一部が、金属箔１３の開口部を覆うようなことはない。
【００２０】
通気口１１は、切り起こしにより形成される。金属薄板を切り起こすことにより通気口を形成し、レンジフード用フィルタとすることはスロットフィルタとして従来から知られている。スロットフィルタは、金属薄板を切り起こすことにより、切り起こし片と通気口（開口部）を同時に形成することにより、安価で作製でき、かつ油脂分の捕集性能が優れている（約５０％程度）。従って、本実施例にかかるフィルタ１０は、スロットフィルタと同じ形状を備えることで、高い油脂分の捕集性能を有し、また、通気口１１を不燃紙で覆うことがないので通気抵抗を低く抑えることができる。
【００２１】
開口部は、縦横に所定のピッチで配列され、同じ大きさのスリット（隙間）で形成されているが、これに限定されず、どのような形状の隙間であってもよいし、それぞれが異なる形状であってもよいし、どのように配列されて形成されても良い。
【００２２】
また、本実施例では、切り起こし片１５は、背面側に切り起こされているが、これに限定されず、図１Ｃ（Ｄ）に示すように、正面側に切り起こされてもよい。すなわち、切り起こされる方は、金属箔１３側であってもよいし、不燃紙１２（不燃性塗料層１４）側であってもよい。いずれであっても、油脂分を含む空気が開口部を通る際に、油脂分が、切り起こし片の正面側、すなわちレンジフードが吸入する空気の流れの上流側の面に衝突することにより、油煙に含まれる油脂分を回収することができる。
【００２３】
なお、フィルタ１０は、不燃紙１２の一方の面に金属箔１３を、もう一方の面に不燃性塗料層１４を、すなわち、不燃紙１２の両面に不燃層を備える。しかし、これに限定されず、一方の面にのみ不燃層を備えてもよい。この場合、調理により発生する火炎が接触する場合があるので、不燃層を備える面は、レンジフードが吸入する空気の流れの上流側の面であることが好ましい。これによれば、レンジフードにおける設置状態における、吸入する空気の流れの上流側の面に不燃層を備えることにより、たとえフィルタ１０に火炎が接触するようなことがあっても問題のない耐火性を有することができる。特に、金属箔１３をレンジフードが吸入する空気の流れの上流側面に不燃層として備えた場合には、通過する油煙より分離されて特に上流側に多く付着する水分や油脂分が金属箔１３により不燃紙１２に浸透してしまうことを防止することができるため、より好ましい。
【００２４】
また、本実施例では、シート１２は不燃紙１２で作製されているが、これに限定されず、不燃性または準不燃性または難燃性の材料から作製されたシートであればよい。ここで、不燃性の材料とは、建築物の材料のうち、建築基準法施行令第１０８条の二で定める技術的基準に適合する不燃性を持つ材料を指す。一般には石、ガラス、コンクリートなどの材料が不燃材料に含まれる（建築基準法第２条第九号、平成１２年建設省告示第１４００号参照）。本願においては、例えば、ガラス繊維混入／ケイ酸マグネシウム板（認定番号：ＮＭ−０５０９、発売元：株式会社トッパン・コスモ、製品名：ＧＲＡＮＤＥＸ、ＧＰ１８）を用いることが好ましい。
【００２５】
また、準不燃性の材料とは、建築物の材料のうち、建築基準法施行令第１条の五で定める技術的基準に適合する不燃性を持つ材料を指す。一般には木毛セメント板、石膏ボード、セルロースファイバーなどの材料が準不燃材料に含まれる（平成１２年建設省告示第１４０１号参照）。本願においては、例えば、シリコーン系樹脂塗装／和紙壁紙張（認定番号ＱＭ−０２３５）を用いることが好ましい。
【００２６】
また、難燃性の材料とは、建築物の材料のうち、建築基準法施行令第１条の六で定める技術的基準に適合する不燃性を持つ材料を指す。一般には難燃合板、難燃繊維板、難燃プラスチック板などの材料が難燃材料に含まれる（平成１２年建設省告示第１４０２号参照）。本願においては、例えば、エチレンプロピレンゴム・コルク混入ポリエチレン樹脂系塗装／水酸化アルミニウム混抄紙壁紙張／不燃材料（金属板を除く）（認定番号：ＲＭ−０００３）を用いることが好ましい。
【００２７】
シート１２は、含水ケイ酸マグネシウム化合物を主成分とする不燃性素材から作製されることが好ましい。不燃性素材には、不燃紙または不燃ボードなどが含まれる。不燃紙または不燃ボードは、含水ケイ酸マグネシウム化合物以外には、水酸化アルミニウム化合物を主成分とする場合があるが、この場合、かかる不燃紙または不燃ボードに油脂分が付着したり浸み込んだりした油脂分が燃焼した場合であっても、燃焼により分解されて水分が放出されることで自己消化性を有するが、分解されてしまうため自己の形状を維持できず、不燃層から剥がれ落ちてしまう。一方、含水ケイ酸マグネシウム化合物の場合は、自己の形状を維持することができ不燃層から剥がれ落ちることがないので、調理器の上方に設けるレンジフードのフィルタとしては、含水ケイ酸マグネシウム化合物の方が好ましい。
【００２８】
なお、含水ケイ酸マグネシウム化合物は、セピオライト、アタパルジャイト、タルク等があり、これらの化合物も含むものとする。また、シートにおける含水ケイ酸マグネシウム化合物の重量パーセントは、７５重量％〜９０重量％が好ましく、８５重量％〜９０重量％がより好ましい。上記主成分以外の成分は、パルプ、ガラス繊維、バインダなどである。なお、前述のガラス繊維混入／ケイ酸マグネシウム板に含まれる含水ケイ酸マグネシウム化合物は、８５重量％〜９０重量％である。
【００２９】
また、シート１２が不燃紙１２であることにより、より容易に使い捨て可能となり、自重が減少し自己の形状の維持や自立がより容易となり、さらに、耐火性もより向上させることができる。
【００３０】
また、金属箔１３は、例えば、アルミニウム箔、ステンレス箔、チタン箔、銀箔、白金箔、金箔、銅箔、真鍮箔、錫箔、ニッケル箔等の種々の金属箔を用いることができる。保管時等のさびの発生を考慮するとアルミニウム箔が好ましい。これによれば、より容易に使い捨て可能となり、さらに自重が減少し自己の形状の維持や自立がより容易となり、さらに、耐火性もより向上させると共に耐水性も向上させることができる。また、不燃性塗料層１４は、例えば、ガスバリア性の優れた含水ケイ酸アルミニウム及びポリエーテルを主成分とするものを用いることができる。
【００３１】
本実施例においては、不燃紙１２は、比重０．８ｇ／ｃｍ3、目付け量１２０〜３００ｇ／ｍ2のものである。不燃紙１２の厚さは、スロットフィルタ形状に切り起こしの塑性変形をさせるので厚すぎると割れを生じる恐れがあり、不燃紙１２の厚さは、おおよそ１５０〜３７５μｍの厚さが好ましい。なお、本実施例のようにスロットフィルタ形状の切り起こしによる塑性変形を必要とせずに、単純にパンチングによるフィルタ形状とする場合には、変形による割れを生じる恐れがないため、その場合には不燃紙は上記より分厚いものを選定することが可能である。
【００３２】
また、金属箔１３（より具体的にはアルミニウム箔）の厚さは、スロットフィルタ形状の切り起こし高さ（角度）により変化するが、切り起こしの塑性変形を行う加工上、１０μｍ未満だと亀裂が入る可能性があるので、１０μｍ以上、より好ましくは５０μｍ以上であることが好ましい。なお、アルミニウム箔の箔厚は、一般的に、６μｍ〜０．２ｍｍと規定されている（ＪＩＳ規格）。
【００３３】
これによれば、フィルタ１０は、耐火性を有しかつ油脂分の捕集性能を維持するとともに、手で丸めて容易に使い捨て可能なので、使用者がレンジフード用フィルタを洗浄する手間から解放し、かつ、外部から力が加えられない限り自己の形状を維持し、フィルタの外周部を支持する枠体以外にフィルタ自身を支持する部材を必要とせず自立することができる。また、上記のように不燃紙１２の厚さを１５０〜３７５μｍと薄くすることで切り起こしの塑性変形を容易としたが、薄くしたことによる剛性の低下を金属箔１３で補うことで、切り起こし形状を維持できるようにした。すなわち、切り起こしの塑性変形を伴う加工を行った後でも不燃紙１２に割れが生じず、且つ切り起こし形状を維持可能なフィルタとすることが可能となる。
【００３４】
なお、本実施例では、不燃紙は比重０．８ｇ／ｃｍ3、目付量１８０〜２００ｇ／ｍ2で厚さが２２５〜２５０μｍのものを使用し、アルミニウム箔は５０μｍのものを使用することで、切り起こしの塑性変形を行った後でも不燃紙１２に割れが生じず、且つ切り起こし形状を維持可能な良好なフィルタとしている。
【００３５】
フィルタ１０の原板は、不燃紙１２の一方の面に金属箔（アルミニウム箔）１３を接着剤により接着し、不燃紙１２の他方の面に不燃性塗料を塗布し不燃性塗料層１４を形成することにより作製される。接着剤は、有機性接着剤や無機性接着剤のいずれであっても良い。但し、無機性接着剤であれば、シートに付着したり浸み込んだりした油脂分に炎が移り燃焼した場合であっても、シートと不燃層の接着力が低下することがなく、不燃層がシートから剥がれ落ちてしまうことを防止することができるので、無機性接着剤が好ましい。例えば、無機性接着剤は、特に限定されないが、アモルファスシリカやマイカを主成分とするものが好ましい。
【００３６】
フィルタ１０は、その原板をカットベント加工することにより、切り起こし片１５と通気口１１を形成し、作製される。より詳しくは、無機性接着剤（製造元：グランデックス株式会社、品番：ＦＪ５２３）を用いて一方の面に金属箔（アルミニウム箔）１３を接着し、他方の面に不燃性塗料を塗布した不燃紙１２をプレス加工によりカットベンド加工を行うことで切り起こし片１５と通気口１１を形成する。切り起こし片１５の切り起こし角度はフィルタ表面に対して３０〜７０度の範囲で適宜フードの排気性能に合わせて設計されるが、深型レンジフードでは約３７度、比較的薄いフード部の上に送風機が設けられ、底面に整流板が備えられる薄型レンジフードにおいては約６７度の切り起こし角度が通気抵抗及び油捕集効率からみて良好なものである。
【００３７】
図２は、本実施例にかかるフィルタを備える深型レンジフード１Ａ（Ａ）および薄型レンジフード１Ｂ（Ｃ）と、それらに設けられるフィルタ１０Ａ（Ｂ）およびフィルタ１０Ｂ（Ｄ）を示す。深型レンジフード１Ａは、水蒸気や油脂分を含む空気を吸込み捕獲するための捕獲空間が高さ方向（天井方向）に深く形成されたフード２Ａと、フード２Ａの内部に吸込み口を前側（調理者側）に向けた送風機３Ａと、送風機３Ａに連接され空気を排気する排気口４Ａと、送風機３Ａにより生じた空気の流れが通過することにより、フード２Ａの捕獲空間内にある空気に含まれる油脂分を回収するフィルタ１０Ａとを備える。
【００３８】
フィルタ１０Ａは、切り起こしにより形成された通気口１１Ａと切り起こし片１５Ａを備え、送風機３Ａにより吸引される空気が通気口１１Ａを通過する際、空気に含まれる油脂分が切り起こし片１５Ａに衝突することにより、油脂分を回収する。本実施例では、切り起こし片１５Ａは送風機３Ａ側に切り起こされているが、これに限定されず、反対側（調理者側）の方へ切り起こされていてもよい。また、本実施例では、切り起こしにより生ずる屈曲部が開口部の上方（天井側）に設けられ、通気口１１における、図１Ｃの（Ａ）または（Ｂ）に示される通気口１１の開口面は水平方向よりやや下方を向いたように形成されているが、これに限定されず、逆に、切り起こしにより生ずる屈曲部が開口部の下方に設けられ、通気口１１Ａの開口面が水平方向よりやや上方を向いたように形成されてもよい。換言すれば、切り起こし片１５Ａの切り起こし角度は水平方向よりやや下方を向いたように形成されているが、これに限定されず、逆に、切り起こしにより生ずる屈曲部が開口部の下方に設けられ、切り起こし片１５Ａの切り起こし方向が水平方向よりやや上方を向いたように形成されてもよい。
【００３９】
また、本図（Ｂ）に示すように、切り起こしの切り起こし片１５Ａの空気の流れの上流側の面は、レンジフード１Ａが吸入する空気の流れに対して対向するように成形されることが好ましい。すなわち、切り起こし片が、本図（Ｂ）に示す切り起こしとは異なり、調理者側に切り起こされている場合、切り起こし片の上流側の面が、空気の流れＦに対して対向せず、油脂分の捕集性能が低下する共に裏面の不燃紙が火炎に曝されることもありうるので好ましくないが、本図（Ｂ）に示すような切り起こしであれば、切り起こし片の上流側の面が、空気の流れＦに対して対向し、油脂分の捕集性能が向上し、さらに、たとえフィルタに火炎が接触するようなことがあっても、不燃層である金属箔１３Ａにのみ火炎が当たり、フィルタ１０Ａの裏面側にある不燃紙１２Ａや不燃性塗料層１４Ａに火炎が当たることを防止することにより、耐火性を向上させることができる。
【００４０】
また、本実施例においては、レンジフード１Ａにおける設置状態において、レンジフード１Ａが吸入する空気の流れの上流側の面に、不燃層である金属箔１３Ａを備える。こうすることにより、たとえフィルタに火炎が接触するようなことがあっても問題のない耐火性を有することができる。
【００４１】
さらに、レンジフード１Ａが吸入する空気の流れの下流側の面に不燃層として不燃性塗料層１４Ａを備える。こうすることにより、フィルタ１０Ａの裏面からの油脂分や水分の浸み込みを防止し、さらに耐火性を向上させることができる。
【００４２】
薄型レンジフード１Ｂは、水蒸気や油脂分を含む空気を吸込み捕獲するための捕獲空間が非常に薄く形成されたフード２Ｂと、フード２Ｂの上方に吸込み口を下側（調理器側）に向けた送風機３Ｂと、送風機３Ｂに連接され空気を排気する排気口４Ｂと、送風機３Ｂにより生じた空気の流れが通過することにより、フード２Ｂの捕獲空間内にある空気に含まれる油脂分を回収するフィルタ１０Ｂと、フィルタ１０Ｂの上流側に位置し、空気の流れを整流する整流板５Ｂとを備える。
【００４３】
フィルタ１０Ｂは、切り起こしにより形成された通気口１１Ｂと切り起こし片１５Ｂを備え、送風機３Ｂにより吸引される空気が通気口１１Ｂを通過する際、空気に含まれる油脂分が切り起こし片１５Ｂに衝突することにより、油脂分を回収する。本実施例では、切り起こし片１５Ｂは送風機３Ｂ側に切り起こされているが、これに限定されず、反対側（調理器側）の方へ切り起こされていてもよい。
【００４４】
レンジフード１Ｂは、前側（調理者側、図視左側）の、フード２Ｂの下面と整流板５Ｂの縁との間の吸込間隙６Ｂの幅は、後側（壁側、図視右側）の、フード２Ｂの下面と整流板５Ｂの縁との間の吸込間隙６Ｂ’の幅より大きいので、空気の流量は、前側の吸込間隙６Ｂの方が後側の吸込間隙６Ｂ’より多い。したがって、切り起こしにより生ずる屈曲部が開口部の右側（壁側）に設けられ、通気口１１Ｂは前側方向を向いたように形成されているが、これに限定されず、逆に、切り起こしにより生ずる屈曲部が開口部の左側（前側）に設けられ、通気口１１Ｂが後側方向を向いたように形成されてもよい。
【００４５】
また、本図（Ｄ）に示すように、切り起こしの切り起こし片１５Ｂの空気の流れの上流側の面は、レンジフード１Ｂが吸入する空気の流れに対して対向するように成形されることが好ましい。すなわち、切り起こし片が、本図（Ｄ）に示す切り起こしとは異なり、調理器側に切り起こされている場合、切り起こし片の上流側の面が、空気の流れＦに対して対向せず、油脂分の捕集性能が低下する共に裏面の不燃紙が火炎に曝されることもありうるので好ましくないが、本図（Ｄ）に示すような切り起こしであれば、切り起こし片の上流側の面が、空気の流れＦに対して対向し、油脂分の捕集性能が向上し、さらに、たとえフィルタに火炎が接触するようなことがあっても、不燃層である金属箔１３Ｂにのみ火炎が当たり、フィルタ１０Ｂの裏面側にある不燃紙１２Ｂや不燃性塗料層１４Ｂに火炎が当たることを防止することにより、耐火性を向上させることができる。
【００４６】
なお、本実施例では、すべての切り起こしにおいて、切り起こしにより生ずる屈曲部が開口部の右側（壁側）に設けられ、通気口１１Ｂは前側方向を向いたように形成されているが、これに限定されない。例えば、フィルタの前側半分が、切り起こしにより生ずる屈曲部が開口部の右側（壁側）に設けられ、通気口は前側方向を向いたように形成され、フィルタの後側半分が、逆に、切り起こしにより生ずる屈曲部が開口部の左側（前側）に設けられ、通気口は後側方向を向いたように形成されてもよい。また、例えば、吸込間隙は整流板の四周に備えられるので、切り起こしにより生ずる屈曲部が開口部より遠い方（フィルタの中心側）に設けられ、通気口は最も近傍の吸込間隙の方向を向いたように形成されてもよい。これにより、切り起こし片の空気の流れの上流側の面は、それぞれの吸込間隙からの吸い込まれる空気の流れに対して対向するように成形されるので、油脂分の捕集性能が向上し、さらに、たとえフィルタに火炎が接触するようなことがあっても、不燃層である金属箔１３Ｂにのみ火炎が当たり、フィルタ１０Ｂの裏面側に火炎が当たることを防止することにより、耐火性を向上させることができる。
【００４７】
また、本実施例においては、レンジフード１Ｂにおける設置状態において、レンジフード１Ｂが吸入する空気の流れの上流側の面に、不燃層である金属箔１３Ｂを備える。こうすることにより、たとえフィルタに火炎が接触するようなことがあっても問題のない耐火性を有することができる。
【００４８】
さらに、レンジフード１Ｂが吸入する空気の流れの下流側の面に不燃層として不燃性塗料層１４Ｂを備える。こうすることにより、フィルタ１０Ｂの裏面からの油脂分や水分の浸み込み防止し、さらに耐火性を向上させることができる。
【００４９】
なお、本発明は、例示した実施例に限定するものではなく、特許請求の範囲の各項に記載された内容から逸脱しない範囲の構成による実施が可能である。即ち、本発明は、主に特定の実施形態に関して特に図示され、かつ説明されているが、本発明の技術的思想および目的の範囲から逸脱することなく、以上述べた実施形態に関し、形状、材質、数量、その他の詳細な構成において、当業者が様々な変形を加えることができるものである。従って、上記に開示した形状などを限定した記載は、本発明の理解を容易にするために例示的に記載したものであり、本発明を限定するものではないから、それらの形状等の限定の一部もしくは全部の限定を外した部材の名称での記載は、本発明に含まれるものである。
【００５０】
例えば、第一実施例では、切り起こしにより通気口を形成しているが、これに限定されるものではなく、フィルタの原板をパンチングすることによりパンチング孔を形成し、そのパンチング孔を通気口としてもよいことは、言うまでもない。
また、切り起こし片や開口部の端面に不燃層として金属箔または不燃性塗料層を備えても良いものである。
【符号の説明】
【００５１】
１      レンジフード
２      フード
３      送風機
４      排気口
５      整流板
６      吸込間隙
１０    フィルタ
１１    通気口
１２    シート（不燃紙）
１３    不燃層（金属箔）
１４    不燃性塗料層
１５    切り起こし片
Ｆ      空気の流れ
【図１Ａ】
0006013005.tif 000002
【図１Ｂ】
0006013005.tif 000003
【図１Ｃ】
0006013005.tif 000004
【図２】
0006013005.tif 000005